(57)【要約】【課題】平状のパネルカバーを回転させて容易に本体に取り付ける。【解決手段】取付部１０を含む本体１と、本体１に回転して取り付けるカバー２とを備える照明器具である。そして、カバー２は、平状の下パネル２０及び上パネル２１（パネル）と、一端側が上パネル２１の本体１と対面する部分に係合する支柱２２と、一部が支柱２２の他端側に係合するとともに他部が取付部１０に係合する固定具２３とを備える。【選択図】図１
2005243308.tif 000002
【特許請求の範囲】
【請求項１】
取付部を含む本体と、前記本体に回転して取り付けるカバーとを備える照明器具であって、
前記カバーは、
平状のパネルと、
一端側が前記パネルの前記本体と対面する部分に係合する支柱と、
一部が前記支柱の他端側に係合するとともに他部が前記取付部に係合する固定具とを備えることを特徴とする照明器具。
【請求項２】
前記カバーは、前記固定具の向きを規制する規制手段を設けることを特徴とする請求項１記載の照明器具。
【発明の詳細な説明】
【技術分野】
【０００１】
本発明は、例えば、平状のパネルカバーを本体に回転方式で取り付ける照明器具に関するものである。
【背景技術】
【０００２】
従来、この種の照明器具は、種々提案されまた市販されている。例えば、図１３に示すような従来の照明器具では、本体１、その本体に設置される蛍光灯（図示せず）を覆うカバー５を備える。
【０００３】
本体１は、カバー５側（下側）から見て円形状を形成し、下側には、外周付近の一の周上に、３つの取付部１０，１０，１０を等間隔に備える。
【０００４】
取付部１０は、底部１００を本体１の中心側に向けて位置し、その底部１００の下端部から本体１の外周方向に突出する側面部１０１、本体１の周方向の一端部から本体１の外周方向に突出する側面部１０２を設ける。また、他端部の一部から本体１の外周方向に突出する側面部１０３を設け、他部には後述するカバー５の固定部５１を挿入するための開口部１０４を形成する。底部１００及び側面部１０１，１０２，１０３により開口部１０５を形成する。
【０００５】
カバー５は、透光性を有し、例えばアクリル樹脂により成形された乳白色の射出成形部材であり、扁平なドーム体を形成する（図１３では一部のみ示す）。そのドーム体の上面中央部に円形の開口部５０を形成し、この開口部５０の周縁部の上面には、カバー５を本体１に取り付けたときに本体１の下面に接触する接触面（図示せず）が設けられている。また、上記開口部５０の周縁部に、本体１下面にカバー５を取り付けるための平面体である３つの固定部５１（図１３では１つのみ示す）を等間隔で内方向に突出して形成する。
【０００６】
上記カバー５を本体１に取り付ける方法について説明する。先ず、カバー５を下方から持ち上げて、接触面（図示せず）を本体１に当接させ、この状態でカバー５の下側から見て右回り（時計回り）にカバー５を回転させる。以下、１つの固定部５１に対して説明するが、すべての固定部５１，５１，５１に対して同様である。上記カバー５の回転により、固定部５１は、取付部１０の開口部１０４から開口部１０５の他端側に入る。さらにカバー５を回転すると、固定部５１は、開口部１０５の一端側まで入って、側面部１０２に当たり、その位置で側面部１０１に支えられるようにして係合する。上記カバー５は、固定部５１の位置が固定されて設けられているので、容易に位置決めができ、カバー５の回転取り付けを行うことができる。
【０００７】
特許文献１は、配光制御部材を器具本体に対して回転することにより、抱持部材と被抱持部材を抱着する照明器具が開示されている。
【０００８】
また、上記カバー５のようなドーム体のカバーとは、外観がまったく異なる平状のパネルカバー（図１を兼用）の要望も高くなっている。平状のパネルには、透光性を有し、例えばアクリル樹脂などが用いられる。平状のパネルカバーは、上記パネルを単数若しくは複数組み合わせて用いられ、複数組み合わせた場合、それぞれのパネルの大きさやデザインなどを自由に設定することができる。このような平状のパネルカバーとドーム体のカバーとの間で、ユーザの嗜好などにより、ドーム体のカバーを平状のパネルカバーに取り換えられたり、逆に、平状のパネルカバーをドーム体のカバーに取り換えられたりすることが多くなっている。
【特許文献１】実開平４−１２９４１５号公報（第２頁、及び、第１図）
【発明の開示】
【発明が解決しようとする課題】
【０００９】
しかしながら、上記従来の照明器具などは、以下のような問題があった。上記平状のパネルカバーにおいて、平状のパネルは丸穴加工など限定された加工しかできないので、この平状のパネルをドーム体のカバーに設けられているような固定部と一体にして形成することが困難である。それに伴い、平状のパネルカバーを回転させて本体に取り付ける場合に、本体の取付部の構造若しくは形状を変えなければならず、カバーのみを取り換える場合であっても、これまでの本体を兼用することができず、カバーとともに本体も取り換えなければならないという問題があった。
【００１０】
本発明は上記の点に鑑みて為されたものであり、その目的とするところは、平状のパネルカバーを回転させて容易に本体に取り付けることができる照明器具を提供することにある。
【課題を解決するための手段】
【００１１】
請求項１に記載の発明は、取付部を含む本体と、前記本体に回転して取り付けるカバーとを備える照明器具であって、前記カバーは、平状のパネルと、一端側が前記パネルの前記本体と対面する部分に係合する支柱と、一部が前記支柱の他端側に係合するとともに他部が前記取付部に係合する固定具とを備えることを特徴とする。
【００１２】
この構成では、パネルが支柱を介して固定具と接合し、カバーを回転させて固定具と取付部とを係合させることができるので、平状のパネルカバーを回転させて容易に本体に取り付けることができる。
【００１３】
請求項２に記載の発明は、請求項１に記載の発明において、前記カバーは、前記固定具の向きを規制する規制手段を設けることを特徴とする。この構成では、固定具の向きを規制することができるので、容易に固定具の位置決めを行うことができる。
【発明の効果】
【００１４】
本発明によれば、平状のパネルカバーを回転させて容易に本体に取り付けることができる。
【発明を実施するための最良の形態】
【００１５】
先ず、基本的な構成について図１〜図７を用いて説明する。本実施形態の照明器具は、図１に示すように、本体１及びカバー２を備え、パネルからなるカバー２を本体１に回転により取り付けるものである。
【００１６】
本体１は、下側から見て円形状であり、上面及び下面に開口部を形成する。本体１のカバー２側（下側）には、外周付近の一の周上に、３つの取付部１０，１０，１０を等間隔に備える。また、本体１は、インバータ式の点灯回路からなる電子安定器部（図示せず）、点灯や調光を制御する回路の電子部品（図示せず）を備えるとともに、図２（ａ）に示すように、ランプ保持バネ（図示せず）などにより丸型の蛍光灯４を保持する。上記電子安定器部や上記電子部品は、蛍光灯４と電気的に接続し、蛍光灯４の点灯又は消灯を行う。本体１は、上面開口部から取付アダプタ（図示せず）を外側に出し、その取付アダプタを天井３に設置されている引掛コンセント（図示せず）に引掛接続して、本体１を天井３に取り付ける。
【００１７】
取付部１０は、図１に示すように、カバー２を本体１に取り付ける場合に、後述するカバー２の固定具２３に係合する。取付部１０の形状について一例を示す。底部１００を本体１の中心側に向けて位置し、その底部１００の下端部から本体１の外周方向に突出する側面部１０１、本体１の周方向の一端部から本体１の外周方向に突出する側面部１０２を設ける。また、他端部の一部から本体１の外周方向に突出する側面部１０３を設け、他部には固定具２３を挿入するための開口部１０４を形成する。底部１００及び側面部１０１，１０２，１０３により形成される開口部１０５は、一端側の上下方向の幅を固定具２３の高さより少し広くした程度とし、他端側の上下方向の幅を固定具の２３の高さより十分広くしている。なお、取付部１０の形状は、上記に限定されることはなく、後述する固定具２３に係合するものであればよい。
【００１８】
カバー２は、下パネル２０、上パネル２１、支柱２２、固定具２３を備える。
【００１９】
下パネル２０は、平状を形成し、厚み３〜４ｍｍの薄板である。また、透光性を有し、例えばアクリル樹脂などが用いられる。下パネル２０は、図２（ｂ）及び図３に示すように、同一周上に等間隔で丸穴２０ａ，２０ａ，２０ａを形成し、それぞれの丸穴２０ａ，２０ａ，２０ａにおいて、飾り２４と支柱２５とが係合する（図３では１ヵ所のみ示す）。飾り２４は、図３に示すように、ネジ穴２４ａを形成する雌ネジであり、下パネル２０の下側に設けられる。支柱２５は、下パネル２０と上パネル２１とを連結するためのものであり、図４に示すように、一端部２５ａが雄ネジであり、他端部２５ｂが雌ネジである。他端部２５ｂは、円形に一対の切り落としを含んだような断面形状であり、中央にネジ穴２５ｃを形成する。一端部２５ａを下パネル２０の丸穴２０ａ（図３参照）に差し込み、飾り２４のネジ穴２４ａ（図３参照）に係合する。
【００２０】
上パネル２１は、図３に示すように、平状を形成し、厚み３〜４ｍｍの薄板である。また、透光性を有し、例えばアクリル樹脂などが用いられる。上パネル２１は、同一周上に３つの丸穴２１ａ，２１ａ，２１ａを等間隔に形成し、それぞれの丸穴２１ａ，２１ａ，２１ａに対して同一半径上にブッシング穴２１ｂ，２１ｂ，２１ｂをそれぞれ形成する。丸穴２１ａには、上記支柱２５の他端部２５ｂが差し込まれる。差し込んだとき、他端部２５ｂの先端が丸穴２１ａから出ている（図９参照）。上パネル２１の上面側には、ブッシング２６を備える。
【００２１】
ブッシング２６は、図５に示すように、一の面（上パネル２１（図３参照）側の面）の一部に、上パネル２１側に突出するボス２６ａを有し、そのボス２６ａは上パネル２１のブッシング穴２１ｂ（図３参照）に係合する。他部には貫通穴２６ｂを形成し、その貫通穴２６ｂは、支柱２５の他端部２５ｂ（図４参照）の断面形状と同じ形状であり非円形であり、他端部２５ｂの先端に係合する。このように貫通穴２６ｂを非円形にすることにより、支柱２５を位置決めすることができる。ボス２６ａ及び貫通穴２６ｂのそれぞれが上パネル２１に係合することによりブッシング２６と上パネル２１とは２点止めとなるので、ブッシング２６の位置決めをすることができる。ブッシング２６の他の面には、上記貫通穴２６ｂを中心に位置し支柱２２の一端部２２ａ（図３参照）に合わせた形状の周囲に突出する突部２６ｃを有する。突部２６ｃで囲まれた部分は、例えば多角形など非円形であり、本実施形態では六角形状である。
【００２２】
支柱２２は、図６に示すように、一端部２２ａを例えば多角形など非円形とし、本実施形態では六角形状とする。そして、その一端部２２ａをブッシング２６の突部２３ｃ（図３参照）で囲まれた部分に差し込む。ブッシング２６の位置決めはされているので、支柱２２の位置決めもすることができる。支柱２２の他端部２２ｂの断面形状は非円形であり、例えば、円形に一対の切り落としを含む断面形状である。支柱２２は、内部に貫通ネジ穴２２ｃを形成している。また、カバー２を本体１に取り付けたときに、上パネル２１が本体１若しくは蛍光灯４に接することのないように長さを設定する。
【００２３】
固定具２３は、図７に示すように、底部２３０を備え、その底部２３０の一端部から一の方向に突出する側面部２３１を備える。固定具２３は、図１に示すように、カバー２を本体１（図１参照）に取り付ける場合に、本体１の取付部１０（図１参照）に係合する。このため、側面部２３１は、取付部１０に係合することができるような長さに設定される。具体的には、側面部２３１は、取付部１０の開口部１０５（図１参照）の一端側における上下方向の幅より少し低い。底部２３０には、支柱２２の他端部２２ｂ（図６参照）と係合するために、他端部２２ｂと同じ形状の貫通穴２３０ａを形成する。このようにすると、固定具２３が支柱２２に係合したときに、支柱２２は位置決めされているので、固定具２３の位置決めをすることができる。また、底部２３０には、後述する固定具抑え２７を固定するための突部２３０ｂ，２３０ｂ，２３０ｃを備える。
【００２４】
固定具抑え２７は、図３に示すように、貫通穴２７ａを形成する。固定ネジ２８は、ワッシャー２８０（図１２参照）、固定具抑え２７、固定具２６を挟み、ネジ回しにより、支柱２２の貫通ネジ穴２２ｃとネジ止めにより係合し、さらに、ネジ回しを行い、ブッシング２６を介して支柱２５のネジ穴２５ｃとネジ止めにより係合する。
【００２５】
次に、カバー２の組立工程について図８〜１２を用いて説明する。先ず、図８に示すように、下パネル２０を飾り２４と支柱２５で挟み込んで固定する。その後、図９に示すように、支柱２５の他端側２５ｂを上パネル２１の丸穴２１ａに差し込み、上パネル２１を仮固定する。次に、図１０に示すように、上パネル２１に、支柱２５の他端部２５ｂ及びブッシング穴２１ｂに係合するようにブッシング２６を取り付け、上パネル２１及び支柱２５を位置決めする。図１１に示すように、突部２６ｃで囲まれた部分に支柱２２の一端部２２ａを差し込む。その後、図１２に示すように、支柱２２の他端部２２ｂ（図１１参照）に固定具２３を差し込み、固定具抑え２７を固定具２３の突部２３０ｂ，２３０ｂ，２３０ｃで固定し、固定ネジ２８によりネジ止めを行い、カバー内の部品を全て固定する。
【００２６】
さらに、カバー２を本体１に取り付ける方法について図１を用いて説明する。先ず、カバー２を下方から持ち上げて、３つの固定具２３，２３，２３のそれぞれの上面を本体１に当接させ、この状態でカバー２の下側から見て右回り（時計回り）にカバー２を回転させる。以下、１つの固定具２３に対して説明するが、すべての固定具２３に対して同様である。上記カバー２の回転により、固定具２３は、取付部１０の開口部１０４から開口部１０５の他端側に入る。さらにカバー２を回転すると、固定具２３は、開口部１０５の一端側まで入って、側面部１０２に当たり、その位置で側面部１０１に支えられるようにして係合する。このようにして、カバー２を本体１に取り付けることができる。
【００２７】
以上、本実施形態によれば、上パネル２１が支柱２２を介して固定具２３と接合し、カバー２を回転させて固定具２３と取付部１０とを係合させることができるので、平状の上パネル２１を含むカバー２を本体１に取り付けることができる。また、ブッシング２６により、固定具２３の向きを精度よく規制することができるので、容易に固定具２６の位置決めを行うことができる。
【００２８】
なお、本実施形態の変形例として、ブッシングを用いないで、支柱を直接、上パネルに接続してもよい。このような構成にすると、カバーを本体に取り付ける際に、固定具の位置決めが必要になるものの、部品点数を少なくすることができる。
【００２９】
また、本実施形態の他の変形例として、カバーのパネルを１枚若しくは３枚以上としてもよい。このような構成にすると、幅広いデザインに対応しつつ、本実施形態と同様の効果を得ることができる。
【図面の簡単な説明】
【００３０】
【図１】本発明による実施形態の照明器具の斜視図である。
【図２】同上の照明器具であって、（ａ）は側面図、（ｂ）は下面図である。
【図３】同上のカバーの分解斜視図である。
【図４】同上の支柱２５の斜視図である。
【図５】同上のブッシングの斜視図である。
【図６】同上の支柱２２の斜視図である。
【図７】同上の固定具の斜視図である。
【図８】同上において、下パネルに飾りと支柱２５を取り付ける工程を示す図である。
【図９】同上において、上パネルに支柱２５を取り付ける工程を示す図である。
【図１０】同上において、上パネルにブッシングを取り付ける工程を示す図である。
【図１１】同上において、ブッシングに支柱２２を取り付ける工程を示す図である。
【図１２】同上において、支柱２２に固定具を取り付ける工程を示す図である。
【図１３】従来の照明器具の斜視図である。
【符号の説明】
【００３１】
１  本体
１０  取付部
２  カバー
２０  下パネル
２１  上パネル
２２  支柱
２３  固定具
【図１】
2005243308.tif 000003
【図２】
2005243308.tif 000004
【図３】
2005243308.tif 000005
【図４】
2005243308.tif 000006
【図５】
2005243308.tif 000007
【図６】
2005243308.tif 000008
【図７】
2005243308.tif 000009
【図８】
2005243308.tif 000010
【図９】
2005243308.tif 000011
【図１０】
2005243308.tif 000012
【図１１】
2005243308.tif 000013
【図１２】
2005243308.tif 000014
【図１３】
2005243308.tif 000015